(57)【特許請求の範囲】
【請求項１】
前後進可能なトレイを備えたＤＶＤ用プレーヤ本体とテレビジョン受像機とが筐体内に設けられたテレビジョン一体型ＤＶＤであって、前記筐体のフロントパネルに前記ＤＶＤ用プレーヤ本体に対向して横長状の開口部が開設され、開閉ドアの左右両端部に突設した一対の支軸をフロントパネルの裏面に突設した左右一対のブラケットの軸受孔に挿通し、前記一方の支軸に巻回したばねにより開閉ドアを常時閉鎖方向に付勢すると共に、そのばねの付勢力により前記他方の支軸の端面をフロントパネルの裏面に突設した突起部に当接させることにより、前記開閉ドアが開口部内の所定位置に配置されており、前記トレイを前進させることにより、該トレイが前記開閉ドアをばねの付勢力に抗して押し開いて前方に突出され、そのトレイに対してディスクを着脱するようにしたディスクプレーヤにおいて、前記開閉ドアに一体突設した位置決め片の端縁に当接または接近することにより前記開閉ドアの左右方向への横揺れ幅を該開閉ドアのばね側端縁とそれに対向する開口部の端縁との間の隙間の幅よりも小さく設定する位置決め突起部がフロントパネルの裏面に突設されると共に、前記開閉ドアを所定角度以上開動させたときに前記位置決め片を前記位置決め突起部から離間させるように形成され、前記位置決め突起部の位置決め片に対向する側縁が後方に向かって該位置決め片から離間するようにテーパー状に形成され、前記位置決め片の前面に対向してフロントパネルの裏面にストッパが突設され、該ストッパに対向して位置決め片の前面に緩衝材が貼着されており、該緩衝材を介して位置決め片をストッパに当接させることにより、前記開閉ドアを開口部内に位置決めするようにしたことを特徴とするディスクプレーヤ。
【請求項２】
前後進可能なトレイを備えたプレーヤ本体を内蔵する筐体のフロントパネルに開口部が開設され、開閉ドアの左右両端部に突設した一対の支軸をフロントパネルの裏面に突設した左右一対のブラケットの軸受孔に挿通し、前記一方の支軸に巻回したばねにより開閉ドアを常時閉鎖方向に付勢すると共に、そのばねの付勢力により前記他方の支軸の端面をフロントパネルの裏面に突設た突起部に当接させることにより、前記開閉ドアが開口部内の所定位置に配置されており、前記トレイを前進させることにより、該トレイが前記開閉ドアをばねの付勢力に抗して押し開いて前方に突出され、そのトレイに対してディスクを着脱するようにしたディスクプレーヤにおいて、前記開閉ドアに一体突設した位置決め片の端縁に当接または接近することにより前記開閉ドアの左右方向への横揺れ幅を該開閉ドアのばね側端縁とそれに対向する開口部の端縁との間の隙間の幅よりも小さく設定する位置決め突起部がフロントパネルの裏面に突設されていることを特徴とするディスクプレーヤ。
【請求項３】
前記開閉ドアを所定角度以上開動させたときに、前記位置決め片を前記位置決め突起部から離間させるように形成したことを特徴とする請求項２記載のディスクプレーヤ。
【請求項４】
前記位置決め突起部の位置決め片に対向する側縁が後方に向かって該位置決め片から離間するようにテーパー状に形成されていることを特徴とする請求項３記載のディスクプレーヤ。
【請求項５】
前記位置決め片の前面に対向してフロントパネルの裏面にストッパが突設され、該ストッパに対向して位置決め片の前面に緩衝材が貼着されており、該緩衝材を介して位置決め片をストッパに当接させることにより、前記開閉ドアを開口部内に位置決めするようにしたことを特徴とする請求項４記載のディスクプレーヤ。
【発明の詳細な説明】
【０００１】
【発明の属する技術分野】
本発明は、例えばテレビジョン一体型ＤＶＤ（Ｄｉｇｉｔａｌ  Ｖｅｒｓａｔｉｌ  Ｄｉｓｃ）などのトレイ用開口部に配置した開閉ドアの横揺れ幅を小さくしたディスクプレーヤに関する。
【０００２】
【従来の技術】
ディスクプレーヤの技術として特開平９−５５００５号公報などに記載したものがあり、その一例として図９に示すものがある。これは、テレビジョン一体型ＤＶＤであって、前後進ａ，ｂ可能なトレイ１ａが備えられたＤＶＤ用プレーヤ本体１とテレビジョン受像機２とがフロントパネル３ａ及びリアパネル３ｂからなる筐体３内に設けられ、フロントパネル３ａにテレビジョン受像機２に対向する開口窓４とプレーヤ本体１に対向する開口部５とが形成され、該開口部５に開閉ドア６が開閉ｃ，ｄ可能に配置されており、トレイ１ａを前進ａさせることにより、該トレイ１ａが開閉ドア６を押し開いて前方に突出され（図９仮想線参照）、そのトレイ１ａに対してディスクＤを着脱するようになっている。
【０００３】
従来、前記開閉ドア６は、図１０及び図１１に示すように、矩形横長状ドア本体６ａと、該ドア本体６ａの裏面両端に一体形成した左右一対の側面視略コ状枠部６ｂと、該各枠部６ｂの下端に同心状に一体突設した左右一対の支軸６ｃ，６ｄとからなり、該各支軸６ｃ，６ｄをフロントパネル３ａの裏面に突設した左右一対のブラケット９に貫設した軸受孔９ａに挿通し、その一方の支軸６ｃに巻回したばね１０により開閉ドア６を常時閉鎖方向ｄに付勢すると共に、そのばね１０の付勢力により前記他方の支軸６ｄの端面をフロントパネル３ａの裏面に突設した突起部１１に当接させることにより、前記開閉ドア６が開口部５内の所定位置に配置されている。
【０００４】
また、開口部５の上縁にストッパ１２が突設され、該ストッパ１２に緩衝材１３が貼着されており、ばね１０により開閉ドア６の上縁部が緩衝材１３を介してストッパ１２に押し付けられて、開閉ドア６を閉鎖状態に保持しており、スピーカー（図示せず）の振動によりストッパ１２と開閉ドア６とが繰り返し衝突して発生する騒音を緩衝材１３により吸収する。
【０００５】
開閉ドア６の取付手順を説明すると、図１２（ａ）に示すように、作業台１４上にフロントパネル３ａを寝かせた状態で、緩衝材１３を上方からストッパ１２に貼着し、次に、図１２（ｂ）に示すように、フロントパネル３ａを作業台１４上に起立させ、ばね１０が取り付けられた開閉ドア６を斜めにした状態でフロントパネル３ａの後方から開口部５内に挿入して支軸６ｃ，６ｄを軸受孔９ａに挿通すればよい。
【０００６】
【発明が解決しようとする課題】
上記従来の構成では、ばね１０の付勢力により他方の支軸６ｄの端面を突起部１１に当接させることにより、開閉ドア６が開口部５内の所定位置に配置されており、該開閉ドア６のばね１０側端縁とそれに対向する開口部５の端縁との間に左右方向ｅ，ｆの沿って隙間αが生じるので（図１０参照）、例えばユーザが店頭でテレビジョン一体型ＤＶＤを購入するために開閉ドア６に触れた際に、その開閉ドア６が比較的大きく横揺れして製作誤差が生じているとの誤解を招き、商品価値を下げるおそれがある。
【０００７】
また、緩衝材１３をフロントパネル３ａのストッパ１２に貼着するために、大型のフロントパネル３ａを寝かせたり起立させるなどの作業が必要であって（図１２参照）、その作業に手間がかかって面倒であり、その作業中にフロントパネル３ａに傷を付けるおそれがあり、大きな作業スペースを確保する必要があって、製作費が高くつく。
【０００８】
本発明は、上記従来の欠点に鑑み、開閉ドアの横揺れを小さくすると共に、緩衝材の取付作業を容易に行なうことができるようにしたディスクプレーヤを提供することを目的としている。
【０００９】
【課題を解決するための手段】
上記目的を達成するため、請求項１記載の発明は、前後進可能なトレイを備えたＤＶＤ用プレーヤ本体とテレビジョン受像機とが筐体内に設けられたテレビジョン一体型ＤＶＤであって、前記筐体のフロントパネルに前記ＤＶＤ用プレーヤ本体に対向して横長状の開口部が開設され、開閉ドアの左右両端部に突設した一対の支軸をフロントパネルの裏面に突設した左右一対のブラケットの軸受孔に挿通し、前記一方の支軸に巻回したばねにより開閉ドアを常時閉鎖方向に付勢すると共に、そのばねの付勢力により前記他方の支軸の端面をフロントパネルの裏面に突設した突起部に当接させることにより、前記開閉ドアが開口部内の所定位置に配置されており、前記トレイを前進させることにより、該トレイが前記開閉ドアをばねの付勢力に抗して押し開いて前方に突出され、そのトレイに対してディスクを着脱するようにしたディスクプレーヤにおいて、前記開閉ドアに一体突設した位置決め片の端縁に当接または接近することにより前記開閉ドアの左右方向への横揺れ幅を該開閉ドアのばね側端縁とそれに対向する開口部の端縁との間の隙間の幅よりも小さく設定する位置決め突起部がフロントパネルの裏面に突設されると共に、前記開閉ドアを所定角度以上開動させたときに前記位置決め片を前記位置決め突起部から離間させるように形成され、前記位置決め突起部の位置決め片に対向する側縁が後方に向かって該位置決め片から離間するようにテーパー状に形成され、前記位置決め片の前面に対向してフロントパネルの裏面にストッパが突設され、該ストッパに対向して位置決め片の前面に緩衝材が貼着されており、該緩衝材を介して位置決め片をストッパに当接させることにより、前記開閉ドアを開口部内に位置決めするようにしたことを特徴としている。
【００１０】
上記構成によれば、例えばユーザが店頭でテレビジョン一体型ＤＶＤを購入するために開閉ドアに触れた指を左右に振っても、該開閉ドアの横揺れ幅を位置決め片及び位置決め突起部により小さく規制しているので、従来のように横揺れ幅が大きくて製作誤差が生じているとの誤解を招くおそれがなく、商品価値を高めることができる。
【００１１】
また、開閉ドアを斜めにした状態でフロントパネルの開口部に挿入して取り付ける際に、該開閉ドアに一体突設した位置決め片が位置決め突起部から離間されているので、その開閉ドアの取付作業を容易に行なうことができる。
【００１２】
更に、開閉ドアを閉動させる際に、位置決め突起部のテーパー状側縁によって、該位置決め突起部に位置決め片が接触しないようにしているので、開閉ドアを確実に閉鎖状態にすることができる。
【００１３】
しかも、緩衝材を開閉ドアの位置決め片に貼着した後、該開閉ドアをフロントパネルの開口部に取り付けるようになっており、前記緩衝材の貼着作業を大型のフロントパネルとは無関係に能率良く容易に行うことができ、その作業中にフロントパネルを傷付けるおそれがなく、小さい作業スペースで充分であり、製作費を安くすることができる。
【００１４】
以上要するに、開閉ドアの横揺れ幅を小さくすると共に、緩衝材の取付作業を容易に行なうことができるようにしたテレビジョン一体型ＤＶＤを提供することができる。
【００１５】
請求項２記載の発明は、前後進可能なトレイを備えたプレーヤ本体を内蔵する筐体のフロントパネルに開口部が開設され、開閉ドアの左右両端部に突設した一対の支軸をフロントパネルの裏面に突設した左右一対のブラケットの軸受孔に挿通し、前記一方の支軸に巻回したばねにより開閉ドアを常時閉鎖方向に付勢すると共に、そのばねの付勢力により前記他方の支軸の端面をフロントパネルの裏面に突設た突起部に当接させることにより、前記開閉ドアが開口部内の所定位置に配置されており、前記トレイを前進させることにより、該トレイが前記開閉ドアをばねの付勢力に抗して押し開いて前方に突出され、そのトレイに対してディスクを着脱するようにしたディスクプレーヤにおいて、前記開閉ドアに一体突設した位置決め片の端縁に当接または接近することにより前記開閉ドアの左右方向への横揺れ幅を該開閉ドアのばね側端縁とそれに対向する開口部の端縁との間の隙間の幅よりも小さく設定する位置決め突起部がフロントパネルの裏面に突設されていることを特徴としている。
【００１６】
上記構成によれば、例えばユーザが店頭でディスクプレーヤを購入するために開閉ドアに触れた指を左右に振っても、該開閉ドアの横揺れ幅を位置決め片及び位置決め突起部により小さく規制しているので、従来のように横揺れ幅が大きくて製作誤差が生じているとの誤解を招くおそれがなく、商品価値を高めることができる。
【００１７】
請求項３記載の発明によれば、請求項２記載の発明において、前記開閉ドアを所定角度以上開動させたときに、前記位置決め片を前記位置決め突起部から離間させるように形成したことを特徴としている。
【００１８】
上記構成によれば、開閉ドアを斜めにした状態でフロントパネルの開口部に挿入して取り付ける際に、該開閉ドアに一体突設した位置決め片が位置決め突起部から離間されているので、その開閉ドアの取付作業を容易に行なうことができる
【００１９】
請求項４記載の発明は、請求項３記載の発明において、前記位置決め突起部の位置決め片に対向する側縁が後方に向かって該位置決め片から離間するようにテーパー状に形成されていることを特徴としている。
【００２０】
上記構成によれば、開閉ドアを閉動させる際に、位置決め突起部のテーパー状側縁によって、該位置決め突起部に位置決め片が接触しないようにしているので、開閉ドアを確実に閉鎖状態にすることができる。
【００２１】
請求項５記載の発明は、請求項４記載の発明において、前記位置決め片の前面に対向してフロントパネルの裏面にストッパが突設され、該ストッパに対向して位置決め片の前面に緩衝材が貼着されており、該緩衝材を介して位置決め片をストッパに当接させることにより、前記開閉ドアを開口部内に位置決めするようにしたことを特徴としている。
【００２２】
上記構成によれば、緩衝材を開閉ドアの位置決め片に貼着した後、該開閉ドアをフロントパネルの開口部に取り付けるようになっており、前記緩衝材の貼着作業を大型のフロントパネルとは無関係に能率良く容易に行うことができ、その作業中にフロントパネルを傷付けるおそれがなく、小さい作業スペースで充分であり、製作費を安くすることができる。
【００２３】
【発明の実施の形態】
図１から図４は本発明の実施の一形態であるテレビジョン一体型ＤＶＤの要部を示すものであって、開閉ドア６の一方の支軸６ｃ側の枠部６ｂから下方に延びる延長部６ｅに、その一方の支軸６ｃと所定間隔をおいて平行する位置決め片１５が形成され、開閉ドア６の横揺れを規制するための位置決め突起部１６と、該開閉ドア６を開口部５内に位置決めするためのストッパ１７とがフロントパネル３ａの裏面に一体突設されている。上記以外の構成は図９から図１１に示す構成とほぼ同じであるから、同一部分に同一符号を付してその説明を省略する。
【００２４】
前記位置決め突起部１６は、図５及び図６に示すように、矩形板状であって、その側縁１６ａが前記位置決め片１５の端縁に当接または接近されており、これによって、図１に仮想線で示すように、開閉ドア６の左右方向ｅ，ｆへの横揺れ幅ｈを該開閉ドア６のばね１０側端縁とそれに対向する開閉ドア６の端縁との間の隙間の幅αよりも小さく設定している（図４参照）。
【００２５】
上記構成によれば、例えばユーザが店頭でテレビジョン一体型ＤＶＤを購入するために開閉ドア６に触れた指を左右方向ｅ，ｆに振っても、該開閉ドア６の横揺れ幅ｈを位置決め片１５及び位置決め突起部１６により小さく規制しているので、従来のように横揺れ幅ｈが大きくて製作誤差が生じているとの誤解を招くおそれがなく、商品価値を高めることができる。
【００２６】
また、図７及び図８に示すように、開閉ドア６を斜めにした状態でフロントパネル３ａの開口部５に挿入して取り付ける際に、該開閉ドア６に一体突設した位置決め片１５が位置決め突起部１６から離間されているので、その開閉ドア６の取付作業を容易に行なうことができる。
【００２７】
図６に示すように、前記位置決め突起部１６の位置決め片１５に対向する側縁１６ａが後方に向かって該位置決め片１５から離間するように所定の傾斜角度β（この実施の形態では１０°前後）でテーパー状に形成されている。
【００２８】
上記構成によれば、図８に示すように、開閉ドア６を閉動ｄさせる際に、位置決め突起部１６のテーパー状側縁１６ａによって、該位置決め突起部１６に位置決め片１５が接触しないようにしているので、開閉ドア６を確実に閉鎖状態にすることができるものであって、例えば位置決め片１５の側縁１６ａがテーパ状に形成されていない場合に（図８仮想線参照）、その側縁１６ａに位置決め片１５が接触して開閉ドア６を閉鎖状態にすることができなくなるというおそれを確実に解消するものである。
【００２９】
図５及び図６に示すように、位置決め片１５の前面に不織布製緩衝材１９が貼着されており、該緩衝材１９を介して位置決め片１５をストッパ１７に当接させることにより、開閉ドア６を開口部５内に位置決めすると共に、スピーカー（図示せず）の振動によりストッパ１７と位置決め片１５とが繰り返し衝突して発生する騒音を吸収する。
【００３０】
開閉ドア６の取付手順を説明すると、図２に仮想線で示すように、予め緩衝材１９を位置決め片１５に貼着した開閉ドア６をフロントパネル３ａの後方から開口部５内に挿入して支軸６ｃ，６ｄを軸受孔９ａに挿通すればよい。
【００３１】
上記構成によれば、緩衝材１９の貼着作業を大型のフロントパネル３ａとは無関係に能率良く容易に行うことができ、その作業中にフロントパネル３ａを傷付けるおそれがなく、小さい作業スペースで充分であり、製作費を安くすることができる。
【００３２】
以上要するに、開閉ドア６の横揺れ幅ｈを小さくすると共に、緩衝材１９の取付作業を容易に行なうことができるようにしたテレビジョン一体型ＤＶＤを提供することができる。
【００３３】
上記の実施の形態では、テレビジョン一体型ＤＶＤを例にあげて説明したが、これに限定されるわけではなく、例えば単体型ＤＶＤやＣＤなどの各種ディスクプレーヤに適用することができる。
【００３４】
【発明の効果】
請求項１記載の発明によれば、例えばユーザが店頭でテレビジョン一体型ＤＶＤを購入するために開閉ドアに触れた指を左右に振っても、該開閉ドアの横揺れ幅を位置決め片及び位置決め突起部により小さく規制しているので、従来のように横揺れ幅が大きくて製作誤差が生じているとの誤解を招くおそれがなく、商品価値を高めることができる。
【００３５】
また、開閉ドアを斜めにした状態でフロントパネルの開口部に挿入して取り付ける際に、該開閉ドアに一体突設した位置決め片が位置決め突起部から離間されているので、その開閉ドアの取付作業を容易に行なうことができる。
【００３６】
更に、開閉ドアを閉動させる際に、位置決め突起部のテーパー状側縁によって、該位置決め突起部に位置決め片が接触しないようにしているので、開閉ドアを確実に閉鎖状態にすることができる。
【００３７】
しかも、緩衝材を開閉ドアの位置決め片に貼着した後、該開閉ドアをフロントパネルの開口部に取り付けるようになっており、前記緩衝材の貼着作業を大型のフロントパネルとは無関係に能率良く容易に行うことができ、その作業中にフロントパネルを傷付けるおそれがなく、小さい作業スペースで充分であり、製作費を安くすることができる。
【００３８】
以上要するに、開閉ドアの横揺れ幅を小さくすると共に、緩衝材の取付作業を容易に行なうことができるようにしたテレビジョン一体型ＤＶＤを提供することができる。
【００３９】
請求項２記載の発明によれば、例えばユーザが店頭でディスクプレーヤを購入するために開閉ドアに触れた指を左右に振っても、該開閉ドアの横揺れ幅を位置決め片及び位置決め突起部により小さく規制しているので、従来のように横揺れ幅が大きくて製作誤差が生じているとの誤解を招くおそれがなく、商品価値を高めることができる。
【００４０】
請求項３記載の発明によれば、開閉ドアを斜めにした状態でフロントパネルの開口部に挿入して取り付ける際に、該開閉ドアに一体突設した位置決め片が位置決め突起部から離間されているので、その開閉ドアの取付作業を容易に行なうことができる。
【００４１】
請求項４記載の発明によれば、開閉ドアを閉動させる際に、位置決め突起部のテーパー状側縁によって、該位置決め突起部に位置決め片が接触しないようにしているので、開閉ドアを確実に閉鎖状態にすることができる。
【００４２】
請求項５記載の発明によれば、緩衝材を開閉ドアの位置決め片に貼着した後、該開閉ドアをフロントパネルの開口部に取り付けるようになっており、前記緩衝材の貼着作業を大型のフロントパネルとは無関係に能率良く容易に行うことができ、その作業中にフロントパネルを傷付けるおそれがなく、小さい作業スペースで充分であり、製作費を安くすることができる。
【図面の簡単な説明】
【図１】  本発明の実施の一形態であるテレビジョン一体型ＤＶＤの要部を示す背面図である。
【図２】  同要部の縦断面である。
【図３】  同要部の分解斜視図である。
【図４】  同開閉ドア付近の拡大斜視図である。
【図５】  同閉鎖状態の開閉ドア付近の縦断面図である。
【図６】  図５のＡ−Ａ矢視図である。
【図７】  同開放状態の開閉ドア付近の縦断面図である。
【図８】  図７のＢ−Ｂ矢視図である。
【図９】  テレビジョン一体型ＤＶＤの側面図である。
【図１０】  従来例を示す要部の背面図である。
【図１１】  同分解斜視図である。
【図１２】  （ａ）及び（ｂ）は同開閉ドアの取付手順を説明する工程図である。
【符号の説明】
１      ＤＶＤ用プレーヤ本体
１ａ    トレイ
２      テレビジョン受像機
３      筐体
３ａ    筐体のフロントパネル
５      開口部
６      開閉ドア
６ｃ    一方の支軸
６ｄ    他方の支軸
１０    ばね
１５    位置決め片
１６    位置決め突起部
１６ａ  位置決め突起部の側縁
１７    ストッパ
１９    緩衝材
Ｄ      ディスク
ａ，ｂ  前後進
ｈ      開閉ドアの横揺れ幅
【図１】
0003757835.tif 000002
【図２】
0003757835.tif 000003
【図３】
0003757835.tif 000004
【図４】
0003757835.tif 000005
【図５】
0003757835.tif 000006
【図６】
0003757835.tif 000007
【図７】
0003757835.tif 000008
【図８】
0003757835.tif 000009
【図９】
0003757835.tif 000010
【図１０】
0003757835.tif 000011
【図１１】
0003757835.tif 000012
【図１２】
0003757835.tif 000013